(57)【要約】【課題】トイレブースを構成する正面パネル及びドアパネルの側端に底部をネジ止めすることで取着されるパネルエッジであって、戸当りエッジの見付け寸法が小さくて側縁がなく、しかもドアエッジ及び戸当りエッジを取付ける際に、ネジ頭が露出しないパネルエッジの提供。【解決手段】該パネルエッジはアルミ製でその幅をパネル厚さと同一寸法とし、滑らかに湾曲した表面部１４ａ，１４ｂを両側に設けると共に間には開口１６を形成して底片２１へ通じ、上記表面部先端にはパネル側端面側へ延びる側片１７ａ，１７ｂ及び該側片先端から中央側へ突出する当り１８ａ，１８ｂにて囲まれる空間１９を有し、該空間１９にはアルミ製のモール材２０を嵌着する。【選択図】        図３
2004293235.tif 000002
【特許請求の範囲】
【請求項１】
トイレブースを構成する正面パネル及びドアパネルの側端に底部をネジ止めすることで取着されるパネルエッジにおいて、該パネルエッジはアルミ製でその幅をパネル厚さと同一寸法とし、滑らかに湾曲した表面部を両側に設けると共に間には開口を形成して底部へ通じ、上記表面部先端にはパネル側端面側へ延びる側片及び該側片先端から中央側へ突出する当りにて囲まれる空間を有し、該空間にはアルミ製のモール材を嵌着したことを特徴とするトイレブースにおけるパネルエッジ。
【請求項２】
上記底部に嵌合部を形成し、該嵌合部の底片をネジ止め可能にした請求項１記載のトイレブースにおけるパネルエッジ。
【請求項３】
トイレブースを構成する正面パネル及びドアパネルの側端にパネルエッジをネジ止めにて取付ける構造において、該パネルエッジはアルミ製でその幅をパネル厚さと同一寸法とし、滑らかに湾曲した表面部を両側に設けると共に間には開口を形成し、上記表面部先端にはパネル側端面側へ延びる側片及び該側片先端から中央側へ突出する当りにて囲まれる空間を有し、底部をパネル側端に当てがって開口から挿通するネジにてネジ止めし、そして上記空間にはアルミ製のモール材を嵌着したことを特徴とするトイレブースにおけるパネルエッジの取付け構造。
【請求項４】
上記底部に嵌合部を形成し、該嵌合部をパネル側端に設けた凹溝に嵌めて嵌合部底片をネジ止めした請求項３記載のトイレブースにおけるパネルエッジの取付け構造。
【発明の詳細な説明】
【０００１】
【発明の属する技術分野】
本発明はトイレブースにおいて、ドアパネルの側端及び正面パネル側端に設けるパネルエッジ及び該パネルエッジの取付け構造に関するものである。
【０００２】
【従来の技術】
ヒンジを介して開閉するトイレブースのドアパネル側端にはドアエッジが取付けられている。同じく正面パネルの側端となる戸当りには戸当りエッジが取着されている。これらドアエッジ及び戸当りエッジはパネル側端をカバーして外観を向上させると共に、接してもケガをしないように考慮したもので、その形状は一般に丸みを持っている。
【０００３】
図４はトイレブースのドアパネル側端及び正面パネルの側端に取付けられている従来のドアエッジ（イ）及び戸当りエッジ（ニ）の具体例を示している。同図から明らかなように、ドアエッジ（イ）は滑らかな凸状をした概略半円弧断面の長尺材であり、該ドアエッジ（イ）はドアパネル（ロ）の側端にネジ止めされている。このエッジはドアパネル（ロ）に限らず正面パネル（ハ）にも戸当りエッジ（ニ）として取付けられ、該戸当りエッジ（ニ）もネジ止めされている。
【０００４】
上記ドアエッジ（イ）及び戸当りエッジ（ニ）をこのようにネジ止めする場合、ネジ（ト）の頭が各エッジの表面から僅かに突出することがある。これはネジ（ト）を傾けて螺合した場合や、ドアパネル（ロ）の開閉に伴う衝撃によって緩み、その結果、頭が突出することが多い。該ドアエッジ（イ）及び戸当りエッジ（ニ）からネジ（ト）の頭が突出しているならば、衣服が突出した頭に引っ掛かって破くことがある。特にトイレのドアは入口が狭いこともあり、僅かに突出したネジ頭に引っ掛かるケースが多い。
【０００５】
ところで、ドアエッジ（イ）及び戸当りエッジ（ニ）をネジ止めしないで取付けた構造も知られている。出願人が平成１２年９月２８日付けて行なった特許出願に係る「トイレブースにおけるパネルエッジの取付け構造」は、パネルエッジ（ドアエッジと戸当りエッジ）が本体とカバー材の２ピースから成り、本体は概略凹型断面の長尺材でパネル側端にビス止めされ、カバー材は概略コ型断面の長尺材であって、該カバー材は本体凹部に嵌めると共に両脚片を凹部内側に係止して取付けることが出来る構造と成っている。
【０００６】
従って、本体に取付けられるカバー材の表面にはネジの頭が露出することはない。しかし、この取付け構造は本体とカバー材の２ピースが必要であり、製作コスト及び取付けコストは高くなり、本体を用いないでカバー材単独で取着出来る方が好ましい。そして、前記図４に示している戸当りエッジ（ニ）の場合も同様であるが、見付け寸法ａが大きく成っていて、外観上好ましくない。
【０００７】
又、ドアエッジ（イ）及び戸当りエッジ（ニ）には側縁（ホ）、（ホ）を両側に形成し、該側縁（ホ）、（ホ）はパネル両面を挟み込んでいて、表面（ヘ）、（ヘ）との間には段差を残している。この段差もドアパネル（ロ）及び正面パネル（ハ）の外観上好ましくない。凸状に湾曲しているドアエッジ（イ）は凹状に湾曲した戸当りエッジ（ニ）に一部カバーされる為に、見付け寸法は問題視されることは少ないが、戸当りエッジ（ニ）の見付け寸法ａが小さくて、側縁（ホ）、（ホ）がなく、しかもネジ頭が露出しないパネルエッジの取付け構造が望ましい。
【０００８】
【発明が解決しようとする課題】
このように、従来のトイレブースを構成するドアエッジ及び戸当りエッジであるパネルエッジには上記のごとき問題がある。本発明が解決しようとする課題はこれら問題点であり、戸当りエッジ（ニ）の見付け寸法ａが小さくて、側縁（ホ）、（ホ）がなく、しかもドアエッジ及び戸当りエッジを取付ける際に、ネジ頭が露出しないパネルエッジ及びその取付け構造を提供する。
【０００９】
【課題を解決する為の手段】
本発明のパネルエッジであるドアエッジ及び戸当りエッジはその材質をアルミ製とし、側縁を有していない。すなわち、パネルエッジの幅はパネル厚さと同一寸法に成っている。その為に、パネルエッジの見付け寸法は小さくなり、ドアパネル及び正面パネルの外観は向上する。そして、該パネルエッジはパネル側端に位置決めされた状態でネジ止めされるが、ネジ頭は表面に露出しない構造と成っている。
【００１０】
すなわち、底部をネジ止めして取付け、その為に表面部にはネジが底部へ挿通することが出来る開口を形成している。そして、ネジ止めした後の開口を塞ぐ為にモール材を嵌着する。このモール材はパネルエッジと同じアルミ材から成っている。又、パネル側端には凹溝を設け、パネルエッジの底部に設ける嵌合部は該凹溝に嵌合して取付けることも出来る。以下、本発明に係る実施例を図面に基づいて詳細に説明する。
【００１１】
【実施例】
トイレブースの形態にも色々あるが、一般的には壁面に対して垂直に据付けられる仕切りパネルの先端に正面パネルを垂直に取付け、所定の距離を隔てた隣の仕切りパネル先端に取付けた正面パネル間にはドアパネルを開閉可能に取付けている。従って、両仕切りパネルと正面パネル及びドアパネルにて仕切られ、所定のトイレブースが構成される。
【００１２】
ドアパネルは片方の正面パネル下端と上端に取着されるヒンジに支持されて開閉することが出来る。そして正面パネル及び仕切りパネルは、床レールに配置したアジャスターに支えられている巾木に載って据え付けられ、各パネルの上端には笠木が取着される。勿論、上記床レールや巾木を用いることなく、仕切りパネル及び正面パネルを据付ける場合も多い。
【００１３】
図１は本発明に係るパネルエッジの取付け構造を示している実施例である。同図の１はドアパネル、２ａ，２ｂは正面パネルを示し、該ドアパネル１は右側の正面パネル２ｂに取着されているヒンジ３に取付けられて開閉することが出来る。そしてドアパネル１の両側端にはドアエッジ４，４が取付けられ、又正面パネル２ａの側端には戸当りエッジ５ａが、正面パネル２ｂの側端には戸当りエッジ５ｂがそれぞれ取付けられている。
【００１４】
上記ドアエッジ４は図２に示すように、平坦な底部６と円弧を成した凸状の表面部７ａ，７ｂが該底部６の両側から中央へ延び、両表面部７ａ，７ｂ間は開口８を有している。表面部７ａ，７ｂの先端から底部側へ側片１０ａ，１０ｂを延ばし、該側片１０ａ，１０ｂの先端には当り９ａ，９ｂを中央側へ突出している。そして、両側片１０ａ，１０ｂ及び当り９ａ，９ｂにて囲まれる空間１１にはモール材１２が嵌着される。ここで、ドアエッジ４及びモール材１２は共にアルミ製であり、空間１１に嵌着するならば外観的には一体化する。そして、塗装などの２次加工を施す場合にも、同質である為に処理し易くなる。
【００１５】
該ドアエッジ４はドアパネル１の側端に当てがわれてネジ止めされるが、ネジは両表面部７ａ，７ｂの先端に設けている当り９ａ，９ｂ間の開口８から挿入して底部６を固定する。従って、該底部６には一定間隔で穴が設けられている。ネジ止めされた後で、モール材１２を空間１１に嵌合するが、空間１１を押し広げるようにして取着される為に、表面部７ａ，７ｂの弾性力が付勢されて外れることはない。
【００１６】
図３は戸当りエッジ５ｂを示しているが、戸先側に位置する戸当りエッジ５ａとはその形状が僅かに違っている。両戸当りエッジ５ａ，５ｂの形状の違いは、戸尻側ではドアパネル１の開閉動作に際して、ヒンジ３を中心としてドアエッジ４は回転運動するが、戸先側のドアエッジ４はヒンジ３を中心とした旋回運動であることに基づく。
【００１７】
戸当りエッジ５ｂは同図に示すように、嵌合部１３と円弧を成した凹状の表面部１４ａ，１４ｂが該嵌合部１３の両側片１５ａ，１５ｂの先端に設けられ、両表面部１４ａ，１４ｂ間には開口１６を有している。表面部１４ａ，１４ｂの内側先端から嵌合部側へ側片１７ａ，１７ｂを延ばし、該側片１７ａ，１７ｂの先端には当り１８ａ，１８ｂを中央側へ突出している。そして、両側片１７ａ，１７ｂ及び当り１８ａ，１８ｂにて囲まれる空間１９にはモール材２０が嵌着される。ここで、戸当りエッジ５ｂ及びモール材２０は共にアルミ製であり、空間１９に嵌着するならば外観的には一体化する。そして、塗装などの２次加工を施す場合にも、同質である為に処理し易くなる。
【００１８】
該戸当りエッジ５ｂは正面パネル２ｂの側端に当てがわれてネジ止めされるが、ネジは両表面部１４ａ，１４ｂの先端に設けている当り１８ａ，１８ｂ間の開口１６から挿入して嵌合部１３の底片２１を固定する。従って、該底片２１には一定間隔で穴が設けられている。ネジ止めされた後で、モール材２０を空間１９に嵌合するが、空間１９を押し広げるようにして取着される為に、表面部１４ａ，１４ｂの弾性力が該モール材２０に付勢されて外れることはない。
【００１９】
表面部１４ａ，１４ｂは滑らかに凹状湾曲し、嵌合部１３の側片１５ａ，１５ｂの内側だけでなく、外側へも延びている。正面パネル側端には凹溝２２が設けられ、該凹溝２２に嵌合部１３が嵌ってネジ止めされる。表面部１４ａ，１４ｂの先端２３ａ，２３ｂは、正面パネル２ｂの両表面との間に段差を生じることなく端面に当接する。すなわち、戸当りエッジ５ｂの幅は正面パネル２ｂの厚さと同一寸法に成っている。
【００２０】
戸先側の正面パネル２ａに取付けられる戸当りエッジ５ａの場合も同じである。図１に示す戸当りエッジ５ａ，５ｂには嵌合部１３を有し、正面パネル側端に形成した凹溝に嵌って取付けられ、ドアパネル１の両側端に取付けられるドアエッジ４，４には嵌合部を備えていないが、該ドアエッジ４の場合にも嵌合部を設けて凹溝に嵌る構造とすることは自由である。ただし、凹溝をドアパネルに形成することで継手となるヒンジが障害にならないようにすることは必要である。
【００２１】
以上述べたように、本発明のパネルエッジは側縁を設けることなくパネル厚さと同一寸法とし、ネジ止めする為の開口を両表面部の間に設け、開口にはモール材を嵌着可能としたものであり、次のような効果を得ることが出来る。
【００２２】
【発明の効果】
本発明のパネルエッジはパネル側端にネジ止めにて取付けられる。しかし、該ネジの頭が表面化しないように、表面部は間に開口を形成して該底部がネジ止めされる形態と成っている。そしてネジ止めした後は、モール材が両表面部間に形成した空間に嵌着され、ネジ頭はカバーされる。
【００２３】
そして、本発明のパネルエッジはその幅がパネル厚さと同一でパネル表面に沿って延びる側縁を有していない為に見付け寸法が小さくなり、パネル外観ひいてはトイレブースの外観が向上する。又パネルエッジはアルミ製であると共に、空間に嵌るモール材も同じアルミ材質である為に、空間に嵌着するならば外観上は一体化し、一旦嵌着するならば容易に外れることはない。さらに、材質が同一である為に表面を塗装などで２次加工することも簡単である。
【図面の簡単な説明】
【図１】本発明に係るパネルエッジの取付け構造。
【図２】ドアエッジの具体例。
【図３】戸当りエッジの具体例。
【図４】従来のパネルエッジ取付け構造。
【符号の説明】
１  ドアパネル
２  正面パネル
３  ヒンジ
４  ドアエッジ
５  戸当りエッジ
６  底部
７  表面部
８  開口
９  当り
１０  側片
１１  空間
１２  モール材
１３  嵌合部
１４  表面部
１５  側片
１６  開口
１７  側片
１８  当り
１９  空間
２０  モール材
２１  底片
２２  凹溝
２３  先端
【図１】
2004293235.tif 000003
【図２】
2004293235.tif 000004
【図３】
2004293235.tif 000005
【図４】
2004293235.tif 000006